(57)【要約】【課題】簡易な構成でありながら、くくり用ワイヤーのくくりを動作を最適化でき、簡単に罠の仕掛けをセットできるくくり罠を提供する。【解決手段】罠本体２０が、筒枠状の本体ボディ２１と、該本体ボディ２１の内側に位置されて獣の足によって踏み込まれる踏み板２２と、半ループ状に形成されて両側の端部近傍２３ａのそれぞれで本体ボディ２１に対して回動可能に軸着される跳ね上げ部材２３とを備え、該跳ね上げ部材２３の一対が、本体ボディ２１に対し、ループを形成するように向き合って対称位置に配され、上部２５ａが一対の跳ね上げ部材２３、２３の向き合う端部２３ｂ、２３ｂの両方に係合すると共に、下部２５ｂが踏み板２２に固定され、該踏み板２２が踏み込まれたときに一対の跳ね上げ部材２３、２３を回動させる一対の作動フック２５、２５を備える。【選択図】図１
2019092400.tif 000002
【特許請求の範囲】
【請求項１】
一方に設けられた通し孔に他方を通して罠用ループが作られるくくり用ワイヤーと、該くくり用ワイヤーのくくりを作動させるコイルバネによる作動構成と、罠をセットする際に前記罠用ループを作るように前記くくり用ワイヤーを仮に保持する構成を有する罠本体とを備えるくくり罠において、
前記罠本体が、獣の足が入る筒枠状の本体ボディと、該本体ボディの内側に位置されて獣の足によって踏み込まれる踏み板と、前記くくり用ワイヤーが外側に掛け回されて仮に保持されるように半ループ状に形成されて両側の端部近傍のそれぞれで前記本体ボディに対して回動可能に軸着される跳ね上げ部材とを備え、該跳ね上げ部材の一対が、前記本体ボディに対し、該本体ボディの筒枠上端面に沿って支持されてループを形成するように向き合って対称位置に配され、
上部が前記一対の跳ね上げ部材の向き合う端部の両方に係合すると共に、下部が前記踏み板に固定され、該踏み板が踏み込まれたときに前記くくり用ワイヤーが跳ね上がるように前記一対の跳ね上げ部材を回動させる一対の作動フックを備えることを特徴とするくくり罠。
【請求項２】
前記本体ボディと前記踏み板とが平面長円状に設けられ、該踏み板が、長手方向に３分割されて中央板部と一対の脇板部とで設けられていると共に、屈曲連結手段によって折り曲げ可能に前記中央板部と前記一対の脇板部とが連結された状態に設けられ、前記一対の脇板部のそれぞれが前記本体ボディに傾動可能且つ分離不能に連結保持手段によって連結されていることを特徴とする請求項１記載のくくり罠。
【請求項３】
前記屈曲連結部材が、前記踏み板の上面に張られた層状の曲げ可能材であることを特徴とする請求項２記載のくくり罠。
【請求項４】
前記連結保持手段が、前記踏み板の下降を規制して保持するように前記本体ボディの内側に棚段状に設けられた内段部と、前記脇板部との間とを連結する紐状部材であることを特徴とする請求項２又は３記載のくくり罠。
【請求項５】
前記一対の跳ね上げ部材が、前記本体ボディに固定された一対の支持プレートを介して回動可能に軸着され、前記本体ボディに対する高さ位置を調整可能に、前記一対の支持プレートに固定用長孔が設けられていることを特徴とする請求項１〜４のいずれかに記載のくくり罠。
【発明の詳細な説明】
【技術分野】
【０００１】
この発明は、一方に設けられた通し孔に他方を通して罠用ループが作られるくくり用ワイヤーと、該くくり用ワイヤーのくくりを作動させるコイルバネによる作動構成と、罠をセットする際に前記罠用ループを作るように前記くくり用ワイヤーを仮に保持する構成を有する罠本体とを備えるくくり罠に関する。
【背景技術】
【０００２】
従来、くくり罠としては、次の特徴を有するものが開示されている。塩化ビニル製の円柱状器具の上端に穴を何個か開け、小木片を差し込んで、木製円形の踏み板をはめ込み、小木片で踏み板を止めて置く。ワイヤーガード２本は，やや水平に近い状態で踏み板に取り付けられているが、円柱状器具より大きい状態である。切り込みは、前側スプリングガードをはめ込むためのものである。安全ピンは、設置が完了した後に取り外す。動物が踏み板を踏めば、踏み板は下に落ちるが、ワイヤーガードは円柱状器具の中に入れず上側へはね上がり、動物を捕獲する（特許文献１参照）。このくくり罠では、踏み板を踏み込む力が小さくても、くくり用ワイヤーによるくくりが敏感に作動してしまい、狩猟の対象とならない小動物も多く捕獲してしまうという問題があった。例えば、ワイヤーガードが、踏み板の側に装着されているため、その踏み板と共にずれ易く、獣がそのワイヤーガードに登っただけで誤作動してくくり用ワイヤーが外れ、獣の足をくくれないことがある。
【０００３】
これに対しては、本体外枠と、本体外枠の内周に嵌まって上下方向へ移動可能に設けられると共に内部に踏み板が固定され、上部外周が、罠を設置するときにはくくり部材が罠用ループを作るように嵌められる部位になると共に、踏み板が踏み込まれることに伴って下降したときにはくくり部材が外れる部位になるように設けられている本体中枠と、撥ね上げ部材の稼働時にくくり部材の急激な上昇によって起こる罠用ループの先端が垂れ下がって輪にならないことを防ぐため、くくり部先端跳ね上げ部材と、回動作動部材とを具備するくくり罠（特許文献２参照）が、本出願人によって提案されている。これによれば、くくり用ワイヤーのくくりを作動させるための獣による踏み込む力が所定以上となるように、その作動荷重を適切に設定でき、狩猟の対象とならない小動物にはくくりが作動されにくい構成となっているが、その構成が複雑になっている。
【０００４】
また、くくり用ワイヤーの他方の側に配され、くくり用ワイヤーの中途部が通過できると共にくくり用ワイヤーの他方端側の部位が保持されるように形成された基部材と、くくり用ワイヤーが、基部材を通過する部位から他方端側の部位の間において掛け回される動滑車と、締付部材と基部材との間で前記くくり用ワイヤーが通されて配され、圧縮状態から伸びる際に罠用ループをくくるように締付部材を押圧する押しコイルバネと、動滑車を、罠用ループがくくられる方向へ移動させるように、基部材から離れる方向へ付勢するトーションバネとを具備するくくり罠（特許文献３参照）が、本出願人によって提案されている。これによれば、くくりの動作を超高速化でき、捕獲性能を向上できるが、構成がより複雑になっている。
【先行技術文献】
【特許文献】
【０００５】
【特許文献１】実用新案登録第３１２３６７９号公報（第１頁）
【特許文献２】特開２０１２−５４７７号公報（第１頁）
【特許文献３】特開２０１４−２３５２５号公報（第１頁）
【発明の概要】
【発明が解決しようとする課題】
【０００６】
くくり罠に関して解決しようとする問題点は、従来、くくり用ワイヤーのくくりを作動させるための獣による踏み込む力が所定以上となるように、その作動荷重を適切に設定でき、狩猟の対象とならない小動物にはくくりが作動されない構成とするには、部品点数が多い複雑な構成となっており、そのくくり罠をセットするためには煩雑な手順が必要となることにある。
【０００７】
そこで本発明の目的は、簡易な構成でありながら、くくり用ワイヤーのくくり動作を最適化でき、簡単に罠の仕掛けをセットすることができるくくり罠を提供することを目的とする。
【課題を解決するための手段】
【０００８】
本発明は、上記目的を達成するために次の構成を備える。
本発明に係るくくり罠の一形態によれば、一方に設けられた通し孔に他方を通して罠用ループが作られるくくり用ワイヤーと、該くくり用ワイヤーのくくりを作動させるコイルバネによる作動構成と、罠をセットする際に前記罠用ループを作るように前記くくり用ワイヤーを仮に保持する構成を有する罠本体とを備えるくくり罠において、前記罠本体が、獣の足が入る筒枠状の本体ボディと、該本体ボディの内側に位置されて獣の足によって踏み込まれる踏み板と、前記くくり用ワイヤーが外側に掛け回されて仮に保持されるように半ループ状に形成されて両側の端部近傍のそれぞれで前記本体ボディに対して回動可能に軸着される跳ね上げ部材とを備え、該跳ね上げ部材の一対が、前記本体ボディに対し、該本体ボディの筒枠上端面に沿って支持されてループを形成するように向き合って対称位置に配され、上部が前記一対の跳ね上げ部材の向き合う端部の両方に係合すると共に、下部が前記踏み板に固定され、該踏み板が踏み込まれたときに前記くくり用ワイヤーが跳ね上がるように前記一対の跳ね上げ部材を回動させる一対の作動フックを備える。
【０００９】
また、本発明に係るくくり罠の一形態によれば、前記本体ボディと前記踏み板とが平面長円状に設けられ、該踏み板が、長手方向に３分割されて中央板部と一対の脇板部とで設けられていると共に、屈曲連結手段によって折り曲げ可能に前記中央板部と前記一対の脇板部とが連結された状態に設けられ、前記一対の脇板部のそれぞれが前記本体ボディに傾動可能且つ分離不能に連結保持手段によって連結されていることを特徴とすることができる。
【００１０】
また、本発明に係るくくり罠の一形態によれば、前記屈曲連結部材が、前記踏み板の上面に張られた層状の曲げ可能材であることを特徴とすることができる。
【００１１】
また、本発明に係るくくり罠の一形態によれば、前記連結保持手段が、前記踏み板の下降を規制して保持するように前記本体ボディの内側に棚段状に設けられた内段部と、前記脇板部との間とを連結する紐状部材であることを特徴とすることができる。
【００１２】
また、本発明に係るくくり罠の一形態によれば、前記一対の跳ね上げ部材が、前記本体ボディに固定された一対の支持プレートを介して回動可能に軸着され、前記本体ボディに対する高さ位置を調整可能に、前記一対の支持プレートに固定用長孔が設けられていることを特徴とすることができる。
【発明の効果】
【００１３】
本発明に係るくくり罠によれば、簡易な構成でありながら、くくり用ワイヤーのくくり動作を最適化でき、簡単に罠の仕掛けをセットすることができるという特別有利な効果を奏する。
【図面の簡単な説明】
【００１４】
【図１】本発明に係るくくり罠の罠本体の形態例を示す斜視図である。
【図２】図１の形態例の一対の跳ね上げ部材の作動状態を示す斜視図である。
【図３】図２の作動状態を底面側から見た斜視図である。
【図４】図１の形態例の構造を説明する一部を破断した斜視図である。
【図５】本発明に係るくくり罠の形態例をセットした状態を示す斜視図である。
【図６】図５の形態例のくくり罠が作動した状態を示す斜視図である。
【発明を実施するための形態】
【００１５】
以下、本発明に係るくくり罠の形態例を添付図面（図１〜６）に基づき詳述する。
本発明に係るくくり罠は、基本構成として、一方に設けられた通し孔１１に他方を通して罠用ループ１２が作られるくくり用ワイヤー１０（図５及び６参照）と、そのくくり用ワイヤー１０のくくりを作動させるコイルバネ１３による作動構成（図５及び６参照）と、罠をセットする際に罠用ループ１２を作るようにくくり用ワイヤー１０を仮に保持する構成を有する罠本体２０とを備えるものである。
【００１６】
そして、本発明に係るくくり罠では、図１〜６に示すように、罠本体２０が、獣の足が入る筒枠状の本体ボディ２１と、その本体ボディ２１の内側に位置されて獣の足によって踏み込まれる踏み板２２と、くくり用ワイヤー１０が外側に掛け回されて仮に保持されるように半ループ状の帯に形成されて両側の２３ａのそれぞれで本体ボディ２１に対して回動可能に軸着される跳ね上げ部材２３とを備え、その跳ね上げ部材２３の一対が、本体ボディ２１に対し、その本体ボディ２１の筒枠上端面に沿って支持されてループを形成するように向き合って対称位置に配されている。
【００１７】
本形態例では、一対の跳ね上げ部材２３、２３が、罠をセットするようにくくり用ワイヤー１０を仮に保持する状態で、本体ボディ２１の筒枠上端面に載ってループを形成するように設けられている。そして、それぞれの跳ね上げ部材２３は、くくり用ワイヤー１０が仮に嵌った状態となって安定的に配置されて罠用ループ１２を形成できるように、その半ループ状（半リング状）の外周側が、その周方向へ延びる凹溝状となるように成形されている。本形態例では帯状の金属材を加工して断面がＶ字状の浅い凹溝状になっている。なお、この本体ボディ２１は、塩ビ管を、輪切り状にカットして長円状に成形することで、図に示すような形態として用いることができる。
【００１８】
このように、本体ボディ２１の外形を形成する筒枠上端面に、跳ね上げ部材２３が受けられた状態に保持されるため、獣の足がスムースに本体ボディ２１の内側に入ることができると共に、獣の足が跳ね上げ部材２３を踏んだだけでは、跳ね上げ部材２３の回動動作がなされず、誤動作を防止できる。また、踏み板２２が本体ボディ２１の内側に位置されており、さらに、本形態例ではその踏み板２２の上面が本体ボディ２１の内側で所要の深さに位置された状態に配されているため、獣の足が本体ボディ２１の内側に落ち込んで踏み板２２を押し下げない限り、跳ね上げ部材２３の回動動作が作動しない。このため、誤作動を防止でき、確実に、獣の足をくくることができる。
【００１９】
また、本発明に係るくくり罠では、上部２５ａが一対の跳ね上げ部材２３、２３の向き合う端部２３ｂ、２３ｂの両方に係合すると共に、下部２５ｂが踏み板２２に固定され、その踏み板２２が踏み込まれたときにくくり用ワイヤー１０が跳ね上がるように一対の跳ね上げ部材２３、２３を回動させる一対の作動フック２５、２５を備えている。なお、本形態例の作動フック２５は、上部２５ａが、短冊状の板材の一端部を外側で下方へ折り返すように折り曲げて断面が下方に開いたコ字状の鉤状に形成され（図４など参照）、一対の跳ね上げ部材２３、２３の端部２３ｂ、２３ｂに上から係合して、その端部２３ｂ、２３ｂを下方へ押圧して一対の跳ね上げ部材２３、２３を回動させることができる形態になっている。また、本形態例の作動フック２５は、下部２５ｂが、断面がＬ字状に内側へ折り曲げられて、踏み板２２（中央板部２２ａ）の下面で固定されている（図３及び４参照）。
【００２０】
このくくり罠によれば、簡易な構成でありながら、くくり用ワイヤー１０のくくりを作動させるための獣による踏み込む力が所定以上となるように作動荷重を適切に設定し易いなど、くくり用ワイヤーのくくり動作を最適化でき、簡単にセットできるという特別有利な効果を奏する。また、対称性の高い簡易な構成であることから、作動性能が向上すると共に、製造コストを低減できる。
【００２１】
さらに、踏み板２２と一体の一対の作動フック２５、２５の沈み込み（踏み込みによる下方への変位）が小さいにも関わらず、梃子の原理で一対の跳ね上げ部材２３、２３の自由端の先端側が大きく回動でき、くくり用ワイヤー１０を小さな踏み込み動作で素早く跳ね上げることができる。この際、梃子の原理で、適度に大きな踏み込む力が必要となり、捕獲対象でない小動物に対して作動することを防止できる。そして、一対の跳ね上げ部材２３、２３が、踏み板２２の小さな沈み込みによって、対称性を持って素早く且つ確実に回動できるため、くくり用ワイヤー１０は、コイルバネの伸長する付勢力によって適切に素早く跳ね上がって相対的に獣の足の高い所をくくることができ、その獣を確実且つ適切に捕獲することができる。
【００２２】
また、本形態例によれば、本体ボディ２１と踏み板２２とが平面長円状に設けられ、その踏み板２２が、長手方向に３分割されて中央板部２２ａと一対の脇板部２２ｂ、２２ｂとで設けられていると共に、屈曲連結手段２２ｃによって折り曲げ可能に中央板部２２ａと一対の脇板部２２ｂ、２２ｂとが連結された状態に設けられ、一対の脇板部２２ｂ、２２ｂのそれぞれが本体ボディ２１に傾動可能且つ分離不能に連結保持手段２６によって連結されている。なお、本体ボディ２１と踏み板２２との形態の対応関係は、本体ボディ２１の長円の直線部に中央板部２２ａが対応し、本体ボディ２１の長円の円弧部に一対の脇板部２２ｂ、２２ｂが対応する形態となっている。
【００２３】
これによれば、本体ボディ２１と踏み板２２とが分離しないように連結されているため、取り扱いが容易で、簡単にくくり罠の仕掛けをセットできる。すなわち、罠本体２０の構成の全部が、一まとまりになっているため、煩雑な当て嵌めや調整を必要としないで設置でき、部品が紛失する心配も少なく、容易にハンドリングできる。
【００２４】
また、これによれば、踏み板２２の真ん中である中央板部２２ａを、所要の荷重で踏んだときに、くくり用ワイヤー１０のくくりが好適に作動することができる。すなわち、一対の脇板部２２ｂ、２２ｂを踏んでも、一対の作動フック２５、２５が沈み込みにくく、くくりの作動が起こりにくい構成になっている。
なお、踏み板２２は、板状的であればよく、その材質は木板材でもよいが、水を吸って膨張することがなく耐久性の高いプラスチック材は金属材などで、適宜に形成することができる。また、踏み板２２については、３分割に分離していることに限らず、踏み板２２の真ん中が沈み込むことができる形態、例えば分割されていないが反るように変形することで真ん中が沈み込むことできる弾性を有する部材を用いることも可能である。この３分割の形態としては、例えば、全体としては一体であるが、３分割をする部分が変形し易いように、その厚さを薄くした形態であってもよく、さらに、中央板部２２ａと一対の脇板部２２ｂ、２２ｂとは分離した部品として形成されるが、相互に軸着される構成として、中央板部２２ａと一対の脇板部２２ｂ、２２ｂとが相互に傾動できる形態であってもよい。
【００２５】
また、本形態例では、屈曲連結手段２２ｃが、踏み板２２の上面に張り付けられた層状の曲げ可能材になっている。さらに具体的には、本形態例の屈曲連結手段２２ｃは、シート材によって設けられ、中央板部２２ａと脇板部２２ｂと同士の直線的な合せ部の上面側で、そのシート材がヒンジとして機能し、中央板部２２ａが踏み込まれたときには下面側がハの字状に開く形態になっている（図３参照）。そのシート材は、フラットで柔軟性のある素材であればよく、均質な層状のシート状に限定されず、網目状、布状（不織布を含む）、格子状の形態であってもよい。なお、網目状などの凹凸のあるシート材によれば、獣の足が接地した際の滑り防止となり、所定以上の作動荷重が作用し易い利点がある。また、この屈曲連結手段２２ｃは、既知の手段を用いて中央板部２２ａ及び脇板部２２ｂへの固定すればよく、木ネジによる固着や、接着剤による貼り付けによって固定することができる。
【００２６】
この層状の曲げ可能材によって構成された屈曲連結手段２２ｃによれば、真ん中が沈み込むことができる形態の踏み板２２であって、薄型で耐久性の高いものを、適切に構成できる。
なお、屈曲連結手段２２ｃとしては、踏み板２２の上面の前面に張られて層状に固定されるものだけに限定されるものではなく、蝶番やヒンジでもよく、その蝶番やヒンジの材質は金属材やプラスチック材を用いることができ、特に限定されない。
【００２７】
また、本形態例では、連結保持手段２６が、踏み板２２の下降を規制して保持するように本体ボディ２１の内側に棚段状に設けられた内段部２１ａと、脇板部２２ｂとの間とを連結する紐状部材になっている。なお、この連結保持手段２６は、本形態例に限定されるものではなく、一対の脇板部２２ｂのそれぞれが、本体ボディ２１に傾動可能且つ分離不能に保持されるように連結される構成であればよく、既知の手段を適宜に用いることができるのは勿論である。
【００２８】
これによれば、踏み板２２が、本体ボディ２１側に、変位する自由度が高い状態で緩く連結した形態になっている。また、図３に示すように、一対の内段部２１ａによって、一対の脇板部２２ｂが受けられて、支持する形態となっているため、一対の脇板部２２ｂ、２２ｂのいずれかを踏んでも、踏み板２２の全体としては沈み込みにくく、くくりの作動が起こりにくい構成になっている。従って、獣の足が中央板部２２ａを踏んだときの適切な条件下でくくりの作動が起こり、その獣を適切且つ確実に捕獲することができる。なお、この連結保持手段２６としては、結束バンドを利用できる。
【００２９】
また、本形態例では、一対の跳ね上げ部材２３、２３が、本体ボディ２１に固定された一対の支持プレート２７、２７を介して回動可能に軸着され、本体ボディ２１に対する高さ位置を調整可能に、一対の支持プレート２７、２７に固定用長孔２７ａが設けられている。すなわち、一対の支持プレート２７、２７に配された回動軸２４に、一対の跳ね上げ部材２３、２３がそれぞれ軸着されている。また、本形態例の一対の支持プレート２７、２７は、それぞれ４本の固定ネジ２８で、本体ボディ２１に固定されている。
【００３０】
これによれば、回動軸２４の高さを変位させることができるため、くくり用ワイヤー１０をセットする際の跳ね上げ部材２３の角度を調整することができ、それによって、作動荷重の増減を設定できることになる。すなわち、固定用長孔２７ａの長手方向の長さの範囲であるが、一対の支持プレート２７、２７の取り付け高さを変更することができる。回動軸２４の高さを高い位置に調整すると、一対の跳ね上げ部材２３、２３のそれぞれの先端側である掛け張り出し部２３ｃの側（自由端の先端側）が、本体ボディ２１の筒枠上端面に接して安定させてセットする状態とすると、その自由端の先端側が若干下方へ傾斜する状態となり、この状態では、跳ね上げ部材２３が作動するために、より大きな荷重を必要とするようになる。反対に、回動軸２４の高さを低い位置に調整すると、前述の自由端の先端側が若干上方へ傾斜する状態となり、跳ね上げ部材２３が作動するために、より小さな荷重でよいことになる。
【００３１】
さらに、本形態例の各支持プレート２７は、図４に示すように、切り欠き部２７ｂが設けられている。この切り欠き部２７ｂは、上方に開いた溝状に形成されており、作動フック２５の折り曲げられて鉤状に形成された上部２５ａが、遊嵌状態に位置できるスペースになっている。これによれば、作動フック２５が上下に変位する際に、その上部２５ａが、切り欠き部２７ｂの内溝によって好適に案内されてスムースに上下移動でき、その作動が適切になされる。
【００３２】
また、本形態例のくくり用ワイヤー１０のくくりを作動させるコイルバネ１３による作動構成は、図５及び６に示すように、コイルバネ１３、通し孔１１を形成するくくり用ワイヤー１０の一方の端部を押してくくるように締め付ける締付部材１４、筒状に形成されてコイルバネ１３を収容するバネ収納部１５、くくり用ワイヤー１０が抜けないように規制するワイヤー固定部材１６を備えている。なお、バネ収納部１５には、筒状に形成され、くくり用ワイヤー１０を内側に通し、コイルバネ１３が適切に滑り出ることが可能に、そのコイルバネ１３の内側に通される筒状案内部材（図示せず）が収納されている。
【００３３】
このくくり罠によれば、図５の状態にくくり罠がセットされた状態から、図６の状態のように踏み板２２の中央部が押し下げられると、作動フック２５を介して一対の跳ね上げ部材２３、２３が強制的に回動されて自由端の先端側が跳ね上がる。すると、罠用ループ１２を形成していたくくり用ワイヤー１０の部分が、その一対の跳ね上げ部材２３、２３から外れ、コイルバネ１３の伸長する力によって、跳ね上げ部材２３に案内されて上方へ跳ね上がりつつ、締付部材１４が押されて罠用ループ１２をくくるように作動する。これにより、獣の足を適切にくくり、その獣を適切且つ確実に捕獲することができる。また、本形態例は対称性が高い構成になっているため、より確実に作動する。
【００３４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３５】
１０  くくり用ワイヤー
１１  通し孔
１２  罠用ループ
１３  コイルバネ
１４  締付部材
１５  バネ収納部
１６  ワイヤー固定部材
２０  罠本体
２１  本体ボディ
２１ａ  内段部
２２  踏み板
２２ａ  中央板部
２２ｂ  脇板部
２２ｃ  屈曲連結手段（層状の曲げ可能材）
２３  跳ね上げ部材
２３ａ  端部近傍
２３ｂ  端部
２３ｃ  掛け張り出し部
２４  回動軸
２５  作動フック
２５ａ  上部
２５ｂ  下部
２６  連結保持手段（紐状部材）
２７  支持プレート
２７ａ  固定用長孔
２７ｂ  切り欠き部
２８  固定ネジ
【図１】
2019092400.tif 000003
【図２】
2019092400.tif 000004
【図３】
2019092400.tif 000005
【図４】
2019092400.tif 000006
【図５】
2019092400.tif 000007
【図６】
2019092400.tif 000008
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
一方に設けられた通し孔に他方を通して罠用ループが作られるくくり用ワイヤーと、該くくり用ワイヤーのくくりを作動させるコイルバネによる作動構成と、罠をセットする際に前記罠用ループを作るように前記くくり用ワイヤーを仮に保持する構成を有する罠本体とを備えるくくり罠において、
前記罠本体が、獣の足が入る筒枠状の本体ボディと、該本体ボディの内側に位置されて獣の足によって踏み込まれる踏み板と、前記くくり用ワイヤーが外側に掛け回されて仮に保持されるように半ループ状に形成されて両側の端部近傍のそれぞれで前記本体ボディに対して回動可能に該本体ボディに固定された一対の支持プレートに軸着されている跳ね上げ部材とを備え、該跳ね上げ部材の一対が、前記本体ボディに対し、該本体ボディの筒枠上端面に沿って支持されてループを形成するように向き合って対称位置に配され、
上部が前記一対の跳ね上げ部材の向き合う端部の両方に鉤状に係合すると共に、下部が前記踏み板に固定され、該踏み板が踏み込まれたときに前記くくり用ワイヤーが跳ね上がるように前記一対の跳ね上げ部材を回動させる一対の作動フックを備えることを特徴とするくくり罠。
【請求項２】
前記本体ボディと前記踏み板とが平面長円状に設けられ、該踏み板が、長手方向に３分割されて中央板部と一対の脇板部とで設けられていると共に、屈曲連結手段によって折り曲げ可能に前記中央板部と前記一対の脇板部とが連結された状態に設けられ、前記一対の脇板部のそれぞれが前記本体ボディに傾動可能且つ分離不能に連結保持手段によって連結されていることを特徴とする請求項１記載のくくり罠。
【請求項３】
前記屈曲連結部材が、前記踏み板の上面に張られた層状の曲げ可能材であることを特徴とする請求項２記載のくくり罠。
【請求項４】
前記連結保持手段が、前記踏み板の下降を規制して保持するように前記本体ボディの内側に棚段状に設けられた内段部と、前記脇板部との間とを連結する紐状部材であることを特徴とする請求項２又は３記載のくくり罠。
【請求項５】
前記一対の跳ね上げ部材が、前記本体ボディに固定された一対の支持プレートを介して回動可能に軸着され、前記本体ボディに対する高さ位置を調整可能に、前記一対の支持プレートに固定用長孔が設けられていることを特徴とする請求項１〜４のいずれかに記載のくくり罠。
【手続補正２】
【補正対象書類名】明細書
【補正対象項目名】０００８
【補正方法】変更
【補正の内容】
【０００８】
本発明は、上記目的を達成するために次の構成を備える。
本発明に係るくくり罠の一形態によれば、一方に設けられた通し孔に他方を通して罠用ループが作られるくくり用ワイヤーと、該くくり用ワイヤーのくくりを作動させるコイルバネによる作動構成と、罠をセットする際に前記罠用ループを作るように前記くくり用ワイヤーを仮に保持する構成を有する罠本体とを備えるくくり罠において、前記罠本体が、獣の足が入る筒枠状の本体ボディと、該本体ボディの内側に位置されて獣の足によって踏み込まれる踏み板と、前記くくり用ワイヤーが外側に掛け回されて仮に保持されるように半ループ状に形成されて両側の端部近傍のそれぞれで前記本体ボディに対して回動可能に該本体ボディに固定された一対の支持プレートに軸着されている跳ね上げ部材とを備え、該跳ね上げ部材の一対が、前記本体ボディに対し、該本体ボディの筒枠上端面に沿って支持されてループを形成するように向き合って対称位置に配され、上部が前記一対の跳ね上げ部材の向き合う端部の両方に鉤状に係合すると共に、下部が前記踏み板に固定され、該踏み板が踏み込まれたときに前記くくり用ワイヤーが跳ね上がるように前記一対の跳ね上げ部材を回動させる一対の作動フックを備える。